(57)【要約】【課題】  緩み止めナットを備えるものにおいて、駆動ナットの緩みを有効に阻止できるリールシート構造を提供する。【解決手段】  可動フード３Ｃを竿軸線方向に移動させる駆動ナット６と駆動ナット６の緩み方向への移動を規制する緩み止めナット７とを設ける。可動フード３Ｃを装着してあるシートベース３Ａに、駆動ナット６が螺合する駆動雄ネジ部３ｂと、緩み止めナット７が螺合する緩み止め雄ネジ部３ｃとを設ける。緩み止め雄ネジ部３ｃのネジピッチＰ１を駆動雄ネジ部３ｂのネジピッチＰ２より小ピッチに形成してある。【選択図】        図２
2008173027.tif 000002
【特許請求の範囲】
【請求項１】
リール脚を保持する一対のフードの少なくとも一方を可動フードに構成するとともに、前記可動フードを竿軸線方向に移動させるナット機構を設け、前記ナット機構を、前記可動フードを移動させる駆動ナットと前記駆動ナットの緩み方向への移動を規制する緩み止めナットとで構成してあるリールシートであって、
前記可動フードを装着してあるシートベースに、前記駆動ナットが螺合する駆動雄ネジ部と、前記緩み止めナットが螺合する緩み止め雄ネジ部とを設け、前記緩み止め雄ネジ部のネジピッチを前記駆動雄ネジ部のネジピッチより小ピッチに形成してあるリールシート。
【請求項２】
前記緩み止め雄ネジ部のネジ山外径を前記駆動雄ネジ部のネジ底径より小径に形成してある請求項１記載のリールシート。
【請求項３】
請求項１又は２記載のリールシートを備えた釣り竿。
【発明の詳細な説明】
【技術分野】
【０００１】
本発明は、リール脚を保持する一対のフードの少なくとも一方を可動フードに構成するとともに、前記可動フードを竿軸線方向に移動させるナット機構を設け、前記ナット機構を、前記可動フードを移動させる駆動ナットと前記駆動ナットの緩み方向への移動を規制する緩み止めナットとで構成してあるリールシートに関する。
【背景技術】
【０００２】
駆動ナットとしての移動用ナットと緩み止めナットとしての固定用ナットとは、リールシートのシートベースとしてのシート本体の外周面に形成された雄ネジ部に螺合装着してある（特許文献１参照）。
【０００３】
【特許文献１】特開２００３−２３５４１０号公報（段落番号〔００１８〕、及び、図１図２）
【発明の開示】
【発明が解決しようとする課題】
【０００４】
ルアーによるバス釣りや餌木を使用したイカ釣りにおいては、仕掛けの打ち込み、及び、煽り操作等が激しく繰り返し行われる為に、駆動ナットや緩み止めナットに意識せずに衝撃的に手が当ることがある。
そうすると、駆動ナット、及び、緩み止めナットが共に、シートベースに刻設された同一の雄ネジ部に螺合されているために、両ナットが同方向に回転することになり、緩み止めナットがその機能を発揮せず、駆動ナットがリール脚から離間する虞があった。
その為に、釣りを行っている最中にリールがガタツク等して快適性を著しく損なう事象が発生することもあった。
【０００５】
本発明の目的は、緩み止めナットを備えるものにおいて、駆動ナットの緩みを有効に阻止できるリールシート構造を提供する点にある。
【課題を解決するための手段】
【０００６】
〔構成〕
請求項１に係る発明の特徴構成は、前記可動フードを装着してあるシートベースに、前記駆動ナットが螺合する駆動雄ネジ部と、前記緩み止めナットが螺合する緩み止め雄ネジ部とを設け、前記緩み止め雄ネジ部のネジピッチを前記駆動雄ネジ部のネジピッチより小ピッチに形成してある点にあり、その作用効果は次の通りである。
【０００７】
〔作用〕
駆動ナットが緩み側に回転しようすると、螺旋状のネジに沿って回転することとなるが、駆動ナットが緩み止めナットに接触しているので、緩み止めナットも駆動ナットと同方向に連れ回りしようとする。
その場合に、緩み止めナットが駆動ナットと同方向に回転しようとすると、駆動ナット及び緩み止めナットともにネジ部の軸線方向へも移動することとなる。
そうすると、緩み止め雄ネジ部のネジピッチが駆動雄ネジ部のネジピッチより小ピッチに形成してあるので、両ナットが同じ回転角だけ回転すると、軸線方向への移動量が駆動ナットの方が大きく緩み止めナットとの方が小さくなるところから、緩み止めナットが駆動ナットに圧接することとなり、駆動ナットと緩み止めナットとが強く押し合って、結局、駆動ナットの回転が阻止される。
【０００８】
〔効果〕
したがって、前記緩み止め雄ネジ部のネジピッチを前記駆動雄ネジ部のネジピッチより小ピッチに形成してある改造を施すだけで、緩み止めナットの緩み止め効果において従来に比べて高めたものを提供できるに至った。
【０００９】
請求項２に係る発明の特徴構成は、請求項１に係る発明において、前記緩み止め雄ネジ部のネジ山外径を前記駆動雄ネジ部のネジ底径より小径に形成してある点にあり、その作用効果は次の通りである。
【００１０】
〔作用効果〕
緩み止め雄ネジ部が駆動雄ネジ部に比べて小径であるので、緩み止め雄ネジ部のネジピッチは駆動雄ネジ部より小ピッチのものとなる。そうすると、請求項１の作用で説明したように、駆動ナットが緩み方向に回転しようとしても、緩み止めナットが駆動ナットに圧接することになり、両ナットが強く押し合うこととなって、駆動ナットの緩みが阻止されることなる。
また、緩み止め雄ネジ部のネジ山外径を前記駆動雄ネジ部のネジ底径より小径に形成してあるので、駆動ナットを緩み止め雄ネジ部を通過した状態で駆動雄ネジ部に螺合させることが可能であり、駆動ナットを可動フードに近い側に配置しなければならない構成に対応させたものにできる。
【００１１】
請求項３に係る発明の特徴構成は、請求項１又は２記載のリールシートを備えた釣り竿である点にあり、その作用効果は次の通りである。
【００１２】
〔作用効果〕
可動フードのリール脚保持能力を高めることができたので、リールが外れることに対する意を配することなく、釣り操作に集中できる釣り竿を提供できるに至った。
【発明を実施するための最良の形態】
【００１３】
船竿等に使用される釣り竿Ａについて説明する。図１に示すように、竿素材１の手元側に、フロントグリップ２、リールシート３、リアグリップ４、尻栓５を備えて、釣り竿Ａを構成してある。
【００１４】
リールシート３の構成について説明する。図１及び図２に示すように、リールシート３は、竿素材１に固着されるシートベース３Ａと、シートベース３Ａの竿軸線方向の一端に一体形成される固定フード３Ｂと、固定フード３Ｂに対向する状態で設けてある可動フード３Ｃとで構成してある。
シートベース３Ａにおける固定フード３Ｂと可動フード３Ｃとの間には、リール脚Ｂを載置するリール載置面３ａが形成してある。
【００１５】
図１及び図２に示すように、可動フード３Ｃは、図示しない係合溝に係合する突起を形成してあり、係合溝に沿って竿軸線方向にスライド移動可能である。この可動フード３Ｃの竿先側には、可動フード３Ｃをスライド駆動する駆動ナット６を設け、駆動ナット６の竿先側に緩み止めナット７を設けて、両ナット６，７でナット機構Ｎを構成してある。
【００１６】
駆動ナット６と緩み止めナット７との取り付け構造を説明する。図１及び図２に示すように、シートベース３Ａの可動フード３Ｃ装着部より固定フード３Ｂの存在側とは反対側に向けて、筒状部を延出し、その筒状部の外周面に駆動雄ネジ部３ｂを形成してある。駆動雄ネジ部３ｂに対して可動フード３Ｃを駆動する駆動ナット６を螺合する。
【００１７】
図１及び図２に示すように、駆動雄ネジ部３ｂの固定フード存在側とは反対側には、その駆動雄ネジ部３ｂより更に小径のネジ部が形成され、この小径のネジ部を緩み止め雄ネジ部３ｃに構成し、緩み止め雄ネジ部３ｃに緩み止めナット７を螺合してある。
【００１８】
駆動雄ネジ部３ｂと緩み止め雄ネジ部３ｃとの関係は、例えば、駆動雄ネジ部３ｂが右ネジであれば、緩み止め雄ネジ部３ｃも右ネジのように、駆動雄ネジ部３ｂのネジ溝と緩み止め雄ネジ部３ｃのネジ溝とを互いに同じ向きの螺旋溝に形成してある。
【００１９】
図２（イ）に示すように、緩み止め雄ネジ部３ｃのネジピッチＰ１を駆動雄ネジ部３ｂのネジピッチＰ２より小ピッチに形成してある。つまり、両雄ネジ部３ｂ、３ｃは、例えば、三角メートル並目ネジ等の同一種類のネジに設定する。そうすると、緩み止め雄ネジ部３ｃのネジ径が駆動雄ネジ部３ｂのネジ径より小径ネジであるので、必然的にネジピッチが小となる。
【００２０】
したがって、緩み止め雄ネジ部３ｃのネジピッチＰ１が駆動雄ネジ部３ｂのネジピッチＰ２より小ピッチであるので、緩み止めナット７はつぎのような機能を発揮する。
つまり、駆動ナット６が緩み側に回転しようすると、螺旋状のネジに沿って回転することとなるが、駆動ナット６が緩み止めナット７に接触しているので、緩み止めナット７も駆動ナット６と同方向に連れ回りしようとする。
その場合に、緩み止めナット７が駆動ナット６と同方向に回転しようとすると、駆動ナット６及び緩み止めナット７ともに雄ネジ部３ｂ、３ｃの軸線方向へも移動することとなる。
【００２１】
そうすると、駆動雄ネジ部３ｂと緩み止め雄ネジ部３ｃとのネジピッチＰ２、Ｐ１を異なるピッチに形成してあるので、軸線方向への移動量においては緩み止めナット７の方が小さく、緩み止めナット７が駆動ナット６に圧接することとなり、駆動ナット６と緩み止めナット７とが強く押し合って、結局、駆動ナット６の回転が阻止される。
以上のような態様によって、駆動ナット６の緩みが防止される。
【００２２】
図２に示すように、シートベース３Ａに設けた駆動雄ネジ部３ｂと緩み止め雄ネジ部３ｃとの関係は、駆動雄ネジ部３ｂに形成されたネジ溝の底径Ｄを、緩み止め雄ネジ部３ｃのネジ山の外径ｄより大径に形成してある。
このような構成によって、駆動ナット６を駆動雄ネジ部３ｂに螺合装着する場合に、緩み止め雄ネジ部３ｃを通過させるのにその緩み止め雄ネジ部３ｃに引っ掛かることなく行うことができる。
【００２３】
〔別実施形態〕
（１）  上記リールシート３は、船竿だけでなく、ルアー釣り用のロッド等にも適用できる。
（２）  リール脚Ｂを保持するものとしては、一対の可動フード３Ｃで構成してもよい。この場合には、両方の可動フード３Ｃに対してナット機構Ｎが必要である。
【００２４】
（３）  図２に示すように、駆動雄ネジ部３ｂと緩み止め雄ネジ部３ｃとを同一種類のネジで構成してもよいが、図３に示すように、駆動雄ネジ部３ｂが角ネジで、緩み止め雄ネジ部３ｃが三角ネジ等の任意のネジ形態を採用してもよい。
このような構成を採ると、リール脚から荷重を直接受ける駆動雄ネジ部３ｂにおいては、ネジ山強度の高い角ネジ形式を採用でき、緩み止め機能を発揮するだけの緩み止め雄ネジ部３ｃにおいては、三角ネジ形式を採用することとした。
しかも、角ネジの場合はそのネジピッチＰ２を、三角ネジのネジピッチＰ１に比べて大きく採ることができるので、ネジピッチを異なるものに設定するのに最適なネジ形態を採用することができる。
【図面の簡単な説明】
【００２５】
【図１】船竿の手元竿を示す側面図
【図２】（イ)リールシートの縦断側面図、（ロ）緩み止め雄ネジ部のネジピッチと駆動雄ネジ部のネジピッチとを示す縦断側面図
【図３】駆動雄ネジ部と緩み止め雄ネジ部とを異なるネジ形態のものに構成した状態を示す縦断側面図
【符号の説明】
【００２６】
３            リールシート
３Ａ          シートベース
３Ｃ          可動フード
３ｂ          駆動雄ネジ部
３ｃ          緩み止め雄ネジ部
６            駆動ナット
７            緩み止めナット
Ｂ            リール脚
Ｐ１、Ｐ２    ネジピッチ
Ｎ            ナット機構
【図１】
2008173027.tif 000003
【図２】
2008173027.tif 000004
【図３】
2008173027.tif 000005